(57)【要約】【課題】従来の押ボタンスイッチは、ボタンの側方に壁（バリア）を設けたものや、操作部材にストッパとロック解除用操作子が設けられ、ロック解除用操作子を押圧するとロックが解除されるものであって、バリアを設けたものはスイッチの連続取付け時にバリアの寸法分だけ隙間が空くためデザイン性が損なわれ、ロック機構を設けたものは構造が複雑で組立てが困難であった。そこで、デザイン性を損なうことなく構造を簡素化した誤動作防止機能を備えた押ボタンスイッチを提供することを目的とする。【解決手段】ボタン８のみを押圧したときはプランジャ６がロックされて操作不能となり、ボタン８とともにロック解除子５を押圧すると回転子３が傾動してプランジャ６のロックが解除されることにより操作可能となり、蓋を開ける煩わしさがなく、誤動作防止機能を備えない押ボタンスイッチと同様な操作が可能な構成とする。【選択図】図１
2010262819.tif 000002
【特許請求の範囲】
【請求項１】
ボタンを押圧操作することにより該ボタンに嵌合されたプランジャでケースに内設された接触機構部の開閉を行う押ボタンスイッチにおいて、前記ボタンの上面に凹部が形成されるとともに該凹部の略中央部に孔が設けられ、該孔にロック解除子を前記ボタンの上面から突出しないように配設するとともに連結棒を介して回転子に結合し、該回転子を前記ケースに傾動自在に嵌合し、前記ボタンのみを押圧したときは前記プランジャ内部に設けられた２つのロック片が前記回転子の上面に当接して前記プランジャがロックされて前記接触機構部の開閉が不能となり、前記ボタンとともに前記ロック解除子が押圧されたときは該ロック解除子に連動して前記連結棒が下降し、該連結棒の下降により前記回転子が傾動することで前記ロック片が前記回転子に当接することなく前記プランジャのロックが解除されるため前記接触機構部の開閉が可能となることを特徴とする押ボタンスイッチ。
【発明の詳細な説明】
【技術分野】
【０００１】
本発明は、押ボタンスイッチに係り、誤動作防止機能を備えた押ボタンスイッチに関するものである。
【背景技術】
【０００２】
従来の押ボタンスイッチは、誤動作防止手段として、ボタンの側方に壁（バリア）を設けたもの（下記非特許文献１参照）や、操作部材にストッパとロック解除用操作子を設け、通常時にはストッパにより操作部材がロックされ、ロック解除用操作子を押圧するとロックが解除されるもの（下記特許文献１参照）があった。
【先行技術文献】
【特許文献】
【０００３】
【特許文献１】特開２００１−２８３６６７号
【非特許文献】
【０００４】
【非特許文献１】日本開閉器工業株式会社「２００８総合カタログ」
【発明の概要】
【発明が解決しようとする課題】
【０００５】
しかしながら、上記した従来の誤動作防止手段は、ボタンの側方に壁があるとスイッチを連続で取付けた場合に壁の厚み分だけ隙間が空くためデザイン性が損なわれ、ロック機構を設けたものは構造が複雑になり、組立て工数を削減することが困難であった。
【０００６】
そこで本発明は、上記状況に鑑みて、デザイン性を損なうことなく、構造が簡単な誤動作防止機能を備えた押ボタンスイッチを提供することを目的とする。
【課題を解決するための手段】
【０００７】
本発明は、上記目的を達成するために、
ボタンを押圧操作することにより該ボタンに嵌合されたプランジャでケースに内設された接触機構部の開閉を行う押ボタンスイッチにおいて、前記ボタンの上面に凹部が形成されるとともに該凹部の略中央部に孔が設けられ、該孔にロック解除子を前記ボタンの上面から突出しないように配設するとともに連結棒を介して回転子に結合し、該回転子を前記ケースに傾動自在に嵌合し、前記ボタンのみを押圧したときは前記プランジャ内部に設けられた２つのロック片が前記回転子の上面に当接して前記プランジャがロックされて前記接触機構部の開閉が不能となり、前記ボタンとともに前記ロック解除子が押圧されたときは該ロック解除子に連動して前記連結棒が下降し、該連結棒の下降により前記回転子が傾動することで前記ロック片が前記回転子に当接することなく前記プランジャのロックが解除されるため前記接触機構部の開閉が可能となることを特徴とする。
【発明の効果】
【０００８】
本発明によれば、次のような効果を奏することができる。
（１）ボタン中央のロック解除子を押圧しないと操作できないため、誤動作が防止できる。
（２）誤動作防止機構を備えていない押ボタンスイッチと同様に、ボタンを押圧するだけの操作でロックが解除できる。
（３）部品点数が少なく構造が簡単であるため、容易に組立てができる。
（４）組立てが容易であるため、組立て工数が削減できる。
（５）スイッチを連続で取付けしても、パネルのデザイン性が損なわれない。
【図面の簡単な説明】
【０００９】
【図１】本発明の実施例を表す押ボタンスイッチの分解斜視図である。
【図２】本発明の実施例を表す押ボタンスイッチの斜視図である。
【図３】本発明の実施例を表す押ボタンスイッチの断面図である。
【発明を実施するための形態】
【００１０】
本発明は、ボタンとともにロック解除子を押圧することによって、スイッチを操作することができる構成とする。よって、簡単な構造で誤動作を防止することができる。
【実施例】
【００１１】
以下、本発明の実施例について、図面を参照しながら詳細に説明する。
【００１２】
図１は本発明の実施例を表す押ボタンスイッチの分解斜視図、図２は本発明の実施例を表す押ボタンスイッチの斜視図、図３は本発明の実施例を表す押ボタンスイッチの断面図であり、図３（ａ）は操作前を、図３（ｂ）は操作開始時を、図３（ｃ）は操作途中を、図３（ｄ）は操作完了時を示している。
【００１３】
これらの図において、１はケース、２はケース１に内設されるスイッチ素子、３はケース１に傾動自在に嵌合される回転子、４は回転子３に傾動自在に嵌合される連結棒、５は連結棒４を傾動自在に嵌合するロック解除子、６はスイッチ素子２の開閉操作を行うプランジャ、７はケース１に被せるように嵌合してプランジャ６をケース１に内設するカバー、８はプランジャ６に嵌合するボタン、９はプランジャ６を上方に付勢するコイルバネ、１０は回転子３をプランジャ６をロックする位置に保持するコイルバネである。ボタン８の上面には凹部８ａが形成されるとともに凹部８ａの略中央部にはロック解除子５が収納される収納孔８ｂが形成される。回転子３の側面にはケース１と嵌合する嵌合突起３ｂが形成され、この嵌合突起３ｂを支点として傾動可能となる。プランジャ６は略筒状であって、内部には回転子３の長側面の幅よりも狭い間隔で２つのロック片６ａが設けられている。
【００１４】
ケース１にスイッチ素子２およびコイルバネ９を配設し、ケース１の底面に形成された係合突起１ｂにコイルバネ１０の一方が係合される。回転子３の嵌合突起３ａと連結棒４の嵌合孔４ａが傾動自在に嵌合されるとともに連結棒４の嵌合突部４ｂとロック解除子５の嵌合孔５ａが傾動自在に嵌合される。連結棒４およびロック解除子５が嵌合された回転子３の係合孔３ｃにコイルバネ１０の他方が係合され、嵌合突起３ｂがケース１の嵌合孔１ａに傾動自在に嵌合される。連結棒４およびロック解除子５が２つのロック片６ａの間に配置されるようにプランジャ６がケース１に配設され、カバー７がケース１に被せるように嵌合孔７ａと嵌合突起１ｃが嵌合される。そして、ボタン８の凹部８ａに形成された収納孔８ｂにロック解除子５を収納するようにボタン８の嵌合孔８ｃとプランジャ６の嵌合爪６ｂが嵌合されることにより、押ボタンスイッチが完成される。
【００１５】
以上のように構成された本発明の押ボタンスイッチは、ボタン８のみを押圧したときは、プランジャ６のロック片６ａが回転子３の上面に当接するため、プランジャ６が下降不能となり、スイッチ素子２を操作することができない。ボタン８とともにロック解除子５を押圧したときは、ロック解除子５と連動して連結棒４が下降し、連結棒４の下降に伴って回転子３が嵌合突起３ｂを支点として傾動し、回転子３が傾動することで２つのロック片６ａの間に収納されるため、ロック片６ａが回転子３の上面に当接しないので、プランジャ６が下降してスイッチ素子２が操作される。
【００１６】
このように、本実施例に示す押ボタンスイッチは、ボタン８のみを押圧したときはプランジャ６がロックされて操作不能となり、ボタン８とともにロック解除子５を押圧すると回転子３が傾動してプランジャ６のロックが解除されることにより操作可能となる構造としたため、誤動作が防止できるという特徴を有している。
【００１７】
本実施例では、ボタンを角型としたが、丸型としてもよく、スイッチ素子も他の接触機構としてもよい。また、ロック解除子の上面をボタンの凹部から僅かに突出するように配設したが、突出しないように配設してもよく、ボタンの照光やクリック感を付与してもよく、種々の方法が考えられる。
【００１８】
なお、本発明は上記の実施例に限定されるものではなく、本発明の趣旨に基づき種々の変形が可能であり、これらを本発明の範囲から排除するものではない。
【産業上の利用可能性】
【００１９】
本発明の押ボタンスイッチは、デザイン性を損なうことなく構造を簡素化した誤動作防止機能を備えた押ボタンスイッチとして利用可能である。
【符号の説明】
【００２０】
１          ケース
１ａ        嵌合孔
１ｂ        係合突起
１ｃ        嵌合突起
２          スイッチ素子
３          回転子
３ａ，３ｂ  嵌合突起
３ｃ        係合孔
４          連結棒
４ａ        嵌合孔
４ｂ        嵌合突部
５          ロック解除子
５ａ        嵌合孔
６          プランジャ
６ａ        ロック片
６ｂ        嵌合爪
７          カバー
７ａ        嵌合孔
８          ボタン
８ａ        凹部
８ｂ        収納孔
８ｃ        嵌合孔
９，１０    コイルバネ
【図１】
2010262819.tif 000003
【図２】
2010262819.tif 000004
【図３】
2010262819.tif 000005